(57)【要約】【課題】容易に組立てることができ、強固な組立状態を維持し、分解後も、再度容易に強固に組立てることができる商品ディスプレイ用組立箱体装置であって、組立前のセットの搬送が容易であることが望まれる。【解決手段】組立箱体装置は、起立面に嵌合開口を有する基板と、この嵌合開口に開放側を嵌合される開放箱体とからなる。この開放箱体は、湾曲し得、弾性的に復元可能な板材からなり、その開放端と対向する側壁と、この側壁に連接され開放側を自由端としてその高さは基板の開口高さより高い両側壁を有する。前記側壁に連接され、箱体の底面をなしてその横幅は前記基板の開口横幅より大きい底壁を有し、前記両側壁の開放側一端には前記嵌合開口の辺縁に嵌り合う切込みを設け、前記底壁の開放側両端には前記嵌合開口の辺縁に嵌り合う切込みを設ける。【選択図】      図１
2006255274.tif 000002
【特許請求の範囲】
【請求項１】
起立して設置され、その起立面に嵌合開口を有する基板と、この嵌合開口に開放側を嵌合される開放箱体とよりなり、前記開放箱体は、湾曲し得るとともに弾性的に復元可能な板材からなり、その開放端と対向する側壁とこの側壁に連接されるとともに前記開放側を自由端としその高さは前記基板の開口高さより大きい両側壁を有し、さらに前記側壁に連接されるとともに箱体の底面をなしその横幅は前記基板の開口横幅より大きい底壁を有し、前記両側壁の開放側一端には前記嵌合開口の辺縁に嵌り合う切込みを設けるとともに前記底壁の開放側両端には前記嵌合開口の辺縁に嵌り合う切込みを設けてなる組立箱体装置。
【請求項２】
さらに前記嵌合開口の上辺両端には、前記両側壁の切込みが嵌り合う切込みを設けてなる前記請求項１記載の組立箱体装置。
【請求項３】
さらに、前記箱体の内部空間が上方に拡開するように両側壁が傾斜してなる前記請求項１または２記載の組立箱体装置。
【請求項４】
さらに、前記箱体の底壁前縁には起立壁が設けられる前記請求項１ないし３のいずれか1項に記載の組立箱体装置。
【請求項５】
起立して設置され、その起立板に嵌合開口を有する基板と、この嵌合開口に開放側を嵌合される開放箱体とよりなり、前記開放箱体は、湾曲し得るとともに弾性的に復元可能な板材からなり、その開放端と対向する側壁とこの側壁に連接されるとともに前記開放側を自由端とする両側壁を有し、さらに前記側壁に連接されるとともにそれぞれ箱体の蓋面および底面をなす壁を有し、前記両側壁の高さまたは蓋面および底面をなす壁の横幅のいずれか一方をそれぞれ前記嵌合開口の開口高さまたは開口横幅よりも大きく形成するとともに前記嵌合開口の辺縁に嵌り合う切込みを設けてなる組立箱体装置。
【請求項６】
前記起立板は、商品説明板であり、前記開放箱体は商品収納体である、請求項１ないし３のいずれか１項記載の組立箱体装置。
【請求項７】
前記起立板は、商品説明板であり、前記開放箱体は商品説明資料収納体である、請求項１ないし３のいずれか１項記載の組立箱体装置。
【発明の詳細な説明】
【技術分野】
【０００１】
この発明は、組立箱体装置に関し、特に、小形商品ディスプレイに好適な、その組立材料の搬送が容易で、かつその組立作業が簡便に、しかも強度よくできるようにしたものである。
【背景技術】
【０００２】
従来、小物商品、例えば、小形の電気製品の販売に際しては、店頭における効果的な商品ディスプレイが販売促進に有効的である。そのためにその製品の供給者としてはその製品の出荷にあわせて店頭における商品の展示を顧客に対してその商品の特徴が充分に訴求できるように、商品ディスプレイ装置を準備して販売の前線に配布しているのが実際である。
【０００３】
しかしながら、これらの経費のうち搬送コストが無視できないことからで、従来の商品ディスプレイ装置は、比較的安価な簡便な構成になるものを販売現場で組立てて完成できるような組立セットとして提供することも行われているが、その構成から招来する組立作業は必ずしも簡易でなかった。
【０００４】
このような従来技術の一例を説明すると、起立したディスプレイ基板には横長四角の商品収納窓が開口するとともに、前方および上方を開放して、縦断面が前記商品収納窓の開口面積よりも僅かに大きいトレイ状の商品収納箱を用意しておき、この商品収納箱を基板の商品収納窓にその後方から嵌め込んで組立てるものである。
【０００５】
この商品収納箱の両側壁は、その前方の高さを順次低くしおいて挿入しやすくしてあるものの、最終の組立位置近傍では、両側壁の上縁を収納窓の上縁によって若干つぶしながら無理に嵌入して組立てるものであるため、かなりの力を要するものであり、最終組立て位置では両側壁に設けた浅い係合溝に、収納窓の上縁を落とし込んで固定するものであるが、その係合による固定は充分でないため、重量のある商品であったり、衝撃によっては、使用中に係合部が外れてしまうといった致命的な欠陥を有していた。
【０００６】
しかも一端外れてしまうと、両側壁の上縁は既につぶされて変形しており、当初の組立て強度が得られないという欠点をも有していた。
【０００７】
したがって、販売現場ではこのような従来技術によるものは、必ずしも好意的には受入れられず、また簡易に組立てられるものでは、こわれやすく必ずしも見栄えがよくない等、逆効果にもなりかねないものであった。
【発明の開示】
【発明が解決しようとする課題】
【０００８】
したがって商品供給側としては、組立方式でありながら、比較的簡易に組立てることができるとともに、強固に組立状態を維持し得るとともに、さらに、一旦組立てた後であっても、必要に応じて、分解し、再度容易に、しかも当初の強度を維持して組立てることができる商品ディスプレイの出現が望まれていた。
【０００９】
さらに商品供給側としては、その商品展示セットの搬送が容易であることによって、積極的にその販売を促進でき、多数の販売先に効率よく提供したいという課題があった。
【課題を解決するための手段】
【００１０】
この発明は上記事情に鑑みてなされたもので、請求項１記載の組立箱体装置は、起立して設置され、その起立面に嵌合開口を有する基板と、この嵌合開口に開放側を嵌合される開放箱体とよりなり、前記開放箱体は、湾曲し得るとともに弾性的に復元可能な板材からなり、その開放端と対向する側壁とこの側壁に連接されるとともに前記開放側を自由端としその高さは前記基板の開口高さより大きい両側壁を有し、さらに前記側壁に連接されるとともに箱体の底面をなしその横幅は前記基板の開口横幅より大きい底壁を有し、前記両側壁の開放側一端には前記嵌合開口の辺縁に嵌り合う切込みを設けるとともに前記底壁の開放側両端には前記嵌合開口の辺縁に嵌り合う切込みを設けてなる組立箱体装置であって、基板の嵌合開口に対して開放箱体が比較的容易に、しかも強固に取り付けられる。しかも一旦組立てた後も、分解し得、再組立も容易である。
【００１１】
また、請求項２記載の組立箱体装置は、前記嵌合開口の上辺両端には、前記両側壁の切込みが嵌り合う切込みを設けてなる前記請求項１記載の組立箱体装置であって、組立を強固にしたものである。
【００１２】
また、請求項３記載の組立箱体装置は、前記箱体の内部空間が上方に拡開するように両側壁が傾斜してなる前記請求項１または２記載の組立箱体装置であって、この箱体にカタログ等を収納して実用する、商品ディスプレイに資するものである。
【００１３】
請求項４は、前記箱体の底壁前縁には起立壁が設けられる前記請求項１ないし３のいずれか1項に記載の組立箱体装置であって、商品、カタログ等の収納状態で起立壁によって収納物が保持される。
【００１４】
ものである。
【００１５】
請求項５は、起立して設置され、その起立板に嵌合開口を有する基板と、この嵌合開口に開放側を嵌合される開放箱体とよりなり、前記開放箱体は、湾曲し得るとともに弾性的に復元可能な板材からなり、その開放端と対向する側壁とこの側壁に連接されるとともに前記開放側を自由端とする両側壁を有し、さらに前記側壁に連接されるとともにそれぞれ箱体の蓋面および底面をなす壁を有し、前記両側壁の高さまたは蓋面および底面をなす壁の横幅のいずれか一方をそれぞれ前記嵌合開口の開口高さまたは開口横幅よりも大きく形成するとともに前記嵌合開口の辺縁に嵌り合う切込みを設けてなる組立箱体装置であって、箱体に蓋壁と底壁との両方を備えたもので、そのような箱体に適した商品の収納、ディスプレイに用いられる。
【００１６】
請求項６、７は、具体的な商品ディスプレイの機能を備えたものである。
【発明の効果】
【００１７】
特に、小形商品ディスプレイに好適なであり、その組立材料の搬送が容易で、かつその組立作業が簡便に、しかも強度をもってできるようにしたものである。多数の販売現場に対する搬送には、組立前の板状の展開状態であるため封筒のような包装体で包装でき、扁平でかさばらないので、取扱に便利である。
【発明を実施するための最良の形態】
【００１８】
つぎにこの発明の実施の形態を図示の実施例に基づいて説明する。
【００１９】
この発明の組立箱体装置は、これを商品ディスプレイ用に適用したものの全体像が、図１に示されている。すなわち、１は、起立板２とこれに連接され折線ａを介して折り曲げ形成された支持板３とからなる基板で、比較的厚手の板材、例えば厚さ２ミリの透明なＰＥＴ製板材を、後述する図４にその成形図（展開図）を示す形状に打抜いて形成される。折線ａは、他のものも同様であるが、形成時に折れ筋によって折り曲げやすく形成される。板材としては、塩化ビニール板、ポリエステル系板、ポリカーボネート板等、湾曲できてその湾曲に対して弾性的に復元力のあるプラスチック板であればよい。
【００２０】
起立板２には、その中央やや上方に位置して４角形の嵌合開口４が形成されている。この嵌合開口４は、後述するように商品挿入口を構成するもので、それぞれ平行な上下辺５、６および側辺７、８を有する。前記上辺５の両端、すなわち嵌合開口４の角部には、それぞれ切込み９、１０が前記側辺７、８の方向、すなわち上方に延びて形成される。そして第４図のように成形された基板を、折線ａを介して折り曲げるとともに、支持板３と起立板２との角度を保持するために、内方にそれぞれの縁端を嵌合する溝（図示せず）を有する駒１１、１２を嵌め込んで組立てるものである。なお、この駒については、説明を簡略にするために、図１、２、８、９では図示を省略してある。
【００２１】
２０は、前記嵌合開口４にその開放端が嵌め込まれる開放箱体で、比較的薄手ではあるが湾曲可能でかつ弾力的に復元する板材、例えば厚さ１ミリのＰＥＴ製板材を図６にその成形図（展開図）を示す形状に打抜いて形成される。その展開図に示されるように、組立状態で上方および前方の２面が開放される箱体となるように形どりされる。詳述すれば、箱体２０が前記嵌合開口にその開放端が嵌めこまれたときにその開口と対面する、その開口とほぼ同一形状の４角形壁を構成する対向壁面２１からその折線ｂ、ｂ、ｂを介して側壁２２、２３および底壁２４が連接して形成されている。この底壁２４は、その横幅を壁面２１のそれよりも大きく形成され、側壁２２、２３および底壁２４をほぼ直角に折り込むことによって、前方および上方を開放した箱体２０が形成されるが、両側壁２２、２３が底壁２４の両縁に、後述の切込みを跨ぐことなく載置されるように配置される。
【００２２】
そして、両側壁２２、２３の高さおよび底壁２４の幅は、それぞれの隣接壁が相互に直角をなす状態、すなわち箱体に組立てられたままの状態でそれぞれの壁が平板状体であるときには決して嵌合開口４に挿入することができない充分な大きさであり、各壁をそれぞれ湾曲することによって嵌合開口４に対する挿入時の実質的な寸法を減少することができる限界の大きさであるように寸法採りされる。そしてその復元力によって、嵌合位置を充分に保持できるものであればよい。
【００２３】
さらに、箱体２０の両側壁２２、２３の上方開放側でかつ前方寄りの一端には、前記嵌合開口の上辺の切込み９、１０に嵌り合う切込み２５、２６を設けるとともに、前記底壁の開放側両端には前記嵌合開口の側辺７、８に嵌り合う切込み２７、２８を設けてある。
【００２４】
以上のように、それぞれ組立てられた基板１の嵌合開口４に、箱体２０を装着する手順について以下に説明する。
【００２５】
箱体２０の前方開放端を、基板１の起立板３の嵌合開口４に対してその裏側から挿入するが、先ず底壁２４を図７の点線で示すようにその挿入方向を軸心として湾曲して底壁２４の実質的寸法を減少して挿入することにより底壁２４の切込み２７、２８が嵌合開口４の左右側辺７，８に対向する位置まで至ったところで、その湾曲を解除すると底壁２４は平板状に復元し、切込み２７、２８が側辺７、８に嵌合して底壁２４は、起立板３に係合される。
【００２６】
さらに、箱体２０の側壁２２、２３を片方ずつ挿入方向を軸心として同じく図７に点線で示すように箱体内方に湾曲すると、実質的に嵌合開口４の上下辺間を挿通できる高さに変形されるため嵌合開口４内に挿入できるので、その側壁２２、２３の切込み２５、２６が嵌合開口の上辺５の切込み９、１０に対峙したところでその湾曲を解除すると、それぞれ側壁２４は平板状に復元し、したがって切込み２５、２６が、起立板３の切込み９、１０に嵌合して、各側壁２２、２３は、起立板３に係合される。この状態では、各側壁２２、２３は前記底壁２４にその下縁を載置される状態となり、箱体２０の組立状態は安定する。
【００２７】
そして、箱体２０は、その開放端縁が、起立板３の嵌合開口４、すなわち商品挿入窓から前方に突出して組立てられるから、商品の収納、取り出し作業も円滑におこなうことができる。
【００２８】
それぞれに形成される切込みの幅、深さ、底部の形状は、相互に嵌り込む相手方の材料の厚さ、平板状に復元して相互に嵌まり合った状態でガタがない深さや底部の形状が選択されることは当然である。
【００２９】
したがって、全体が図１に示されるように組立てられることから明らかなように、基板１の起立板２は、傾斜して起立することから、商品説明板としてそのポップを表示してその商品性を訴求することに利用することができる。また箱体２０は、展示商品の収納機能を有する商品収納体であることから、起立板２の商品挿入口４から商品を挿入して収納展示することができる。この実施例では箱体２０はその上方も開放しているので、商品の収納時、または商品の収納状態でその開放位置を利用することができる。
【００３０】
また、図１から明らかなように基板１の起立板２と支持板３との傾斜状態の固定は、箱体２０の底壁２４の角部が支持板３に近接していることから、例えば対向壁面２１の下端を一部支持板３側に切起こして、その切起こし片を支持板に接着して固定してもよい。別部材の支え枠を起立板２と支持板３との間に渡してもよいことは当然である。
【００３１】
なお、前述の実施例においては箱体２０の上方は開放された形状であったが、上方を蓋壁（図示せず）で塞ぐ構成とすることもできる。この場合は、図６に示された箱体２０の展開図において、側壁２４と同一形状の側壁を壁面２１における対向側に折線を介して形成し、箱体２０の組立時に側壁２４と同様に折り込まれた両側壁２２、２３に被さるように折り込めばよく、起立板３の嵌合開口４に対する箱体２０の挿入の場合にも、前述の底壁２４の場合と同様に、湾曲して挿入することができるが、そのままでは両側壁２２、２３の上端部が挿入の支障となるので、この両側壁２２、２３の挿入時と同様に、それらを大きく内方に湾曲して退避しておくことによって支障なく挿入でき、同様にこの蓋壁は平板状に復元し、蓋壁の有する切込みが開口の側辺に嵌合して、蓋壁も、起立板２に係合される。
【００３２】
このように箱体に蓋壁をも設けた場合には、蓋壁自身が前述の底壁と同様に起立板と係合するので、箱体の起立板に対する前後方向の固定のために前述の実施例において起立板１の嵌合開口４に形成した切込み９、１０は、必ずしも必要でない。この場合、嵌合開口４は単純に四角形で構成することができるので、抜き型が単純で安価となる利点がある。
【００３３】
そして、両側壁および箱体の蓋面および底面をなす壁の寸法については、両側壁の高さまたは蓋面および底面をなす壁の横幅のいずれか一方をそれぞれ前記嵌合開口の開口高さまたは開口横幅よりも大きく形成することによって、いずれの場合にも適切に組立てられとともに、両側壁または蓋面および底面の開放端寄りに設けた切込みが、前記嵌合開口の辺縁に嵌り合ってその係合状態が維持される。
【００３４】
次にこの発明の第２の実施例について、図８から１１にしたがって説明する。この実施例は、前述の実施例が商品収納を意図したものであるのに対して、カタログ等を収納するようにしたものである。両者の同一部分には同一符号を付して、説明を簡略化してある。
【００３５】
すなわち、箱体４０は、同様に嵌合開口４にその開放端が嵌め込まれる箱体で、その斜視図が図１１に示されるように、組立状態で上方および前方の２面が開放される比較的扁平で、かつ商品説明資料であるカタログ等の収納体として資料が取り出しやすいように、上方開放部が拡開された箱体となるように形どりされる。
【００３６】
詳述すれば、箱体４０の前記嵌合開口４と対向する対向壁面４１は、前記嵌合開口４にその開放端が嵌め込まれる箱体で、比較的薄手ではあるが湾曲可能でかつ弾力的に復元する板材、例えば厚さ１ミリの透明なＰＥＴ製板材を図１１に示す形状（展開図は省略）に打抜いて形成される。すなわち、組立状態で上方および前方の２面が開放される箱体となるように形どりされる。詳述すれば、箱体４０が前記嵌合開口にその開放端が嵌めこまれたときにその開口と対面する、その開口とほぼ同一形状の壁面４１からその折線ｂ、ｂ、ｂを介して上方に向って高さが順次増大する側壁４２、４３および底壁４４が連接して形成されている。この底壁４４は、その横幅を壁面４１のそれよりも大きく形成され、側壁４２、４３および底壁４４をほぼ直角に折り込むことによって、前方を開放し上方に向って拡開して開放した箱体４０が形成される。そして、両側壁４２、４３が底壁４４の両縁に、後述の切込みを跨ぐことなく配置される。
【００３７】
そして、両側壁４２、４３の高さおよび底壁４４の幅は、それぞれの隣接壁が相互に直角をなす状態、すなわち箱体４０に組立てられたままの状態でそれぞれの壁が平板状体であるときには決して挿入することができない大きさであり、かつ各壁をそれぞれ湾曲することによって嵌合開口４に対する挿入時の実質的な寸法を減少することができる限界の大きさであるように寸法採りされる。
【００３８】
さらに、箱体４０の両側壁４２、４３の上方開放側でかつ前方寄りの一端には、前記嵌合開口の上辺の切込みに嵌り合う切込み４５、４６を設けるとともに、前記底壁の開放側両端には前記嵌合開口の下辺切込みに嵌り合う切込み４７、４８を設けてある。この底壁４４には折線を介して起立片４９が連接され、箱体４０の組立時に底壁４４から直角に起立することによって、箱体４０に収納されるカタログ等の支持の働きをする。
【００３９】
また、嵌合開口の前記下辺６の両端、すなわち嵌合開口４の角部には、それぞれ切込み５０、５１がその下辺６の方向、すなわち左右方向に延びて形成される。
【００４０】
以上のように、それぞれ組立てられた基板１の嵌合開口４に、箱体４０を装着する手順について以下に説明する。
【００４１】
箱体４０の前方開放端を、基板１の起立板３の嵌合開口４に対してその裏側から挿入する。先ず底壁４４を、その挿入方向を軸心として湾曲することによりその実質寸法を減少して挿入することにより底壁４４の切込み４７、４８が嵌合開口４の下辺６の左右の切込み５０、５１に対向する位置まで至ったところで、その湾曲を解除すると底壁４４は平板状に復元し、切込み４７、４８が切込み５０、５１に嵌合して、底壁４４は、起立板３に強固に係合される。
【００４２】
さらに、箱体４０の側壁４２、４３を片方ずつ挿入方向を軸心として同じく箱体内方に湾曲すると、実質的に嵌合開口４の上下辺間を挿通できる高さに変形されるため嵌合開口４内に挿入できるので、その側壁４２、４３の切込み４５、４６が嵌合開口の上辺５の切込み９、１０に対峙したところでその湾曲を解除すると、それぞれ側壁４４は平板状に復元し、したがって切込み４５、４６が、起立板３の切込み９、１０に嵌合して、各側壁４２、４３は、起立板３に強固に係合される。この状態では、各側壁４２、４３は前記底壁４４にその下縁を載置される状態となり、箱体４０の組立状態は安定する。
【００４３】
したがって、全体が図８に示されるように組立てられることから明らかなように、基板１の起立板２は、傾斜して起立しており、この起立板２は、前述した実施例の場合と同様に商品説明などのポップをその面に貼着表示して、その商品性を訴求することに利用することができる。
【００４４】
なお、前記第１の実施例と第２の実施例については、説明を簡明にするために、それぞれ独立して説明したが、実用的にはそれらを並列に同一の基板で構成することによって、商品収納ディスプレイとカタログ等商品説明資料の設置とを同時に行えるので、訴求効果は一層向上する。
【００４５】
実施例の１形態として記載すれば、この発明は、商品等を展示収容するための窓を設けた本体板と、可撓性かつ変形に対して復元力を有する材料からなる収容部とからなり、前記窓からその前端部を突出した状態で収容部を取り付けるものにおいて、前記収容部には少なくとも、背板、側板を有するとともに、前記窓の側縁に対応する底板、背板、側板の少なくとも１ヶ所には、前記側縁に嵌合する互いに対向した1対の嵌合部を設け、この嵌合部は、平板状体では決して前記窓には挿入できないほどの充分な係合長を有し、前記側縁に対し、これに対応する収容部の箇所を撓めた状態で挿入し、その復元力で係合状態を維持させた展示装置ということもできる。
【００４６】
なお、次に、商品ディスプレイの構成においては組立の容易性という点で共通点があることから、参考例として、記載し紹介する。
【００４７】
［参考例］
前述の実施例と同様に、図１２に示されるように起立板６０および支持板６１を有する基板６２を設けるが、この起立板６０には、その前面に固定される後述の箱体を係合するための長孔が、ほぼその箱体の開放面形状に一致して、それぞれ側部長孔６３、６４および底部長孔６５として形成されている。この長孔６３、６４の下端は起立板６０の内側に屈曲する屈曲部６６、６７を形成している。
【００４８】
前記箱体７０は、図１３の展開図に示されるように、前述の実施例の箱体と同様の材料で打抜き形成されるもので、組立時に起立板６０と対向するほぼ４角形状の壁面７１からは折線ｃ、ｃ、ｃを介して連接する両側壁７２、７３および底壁７４を形成する。そしてそれぞれこの折線ｃ、ｃ、ｃを介して両側壁７２、７３および底壁７４を図１４に示されるとおり、直角に折り曲げて、上方および後方を開放する箱体７０を形成する。この両側壁７２、７３の上下縁にはそれぞれ１対の切込み７５、７６、および７７、７８を形成する。底壁７４には組立時長孔６５に挿入される舌片７９が形成される。
【００４９】
以上のように形成された起立板６０の長孔と箱体７０の各壁との寸法は次のように選択される。すなわち、箱体７０の両側壁７２、７３の長さは、その両側壁を起立板６０の両側の長孔６３、６４の屈曲部６６、６７に合わせて屈曲した状態では長孔を通過でき、弾性的に平板状に復元した状態では、それぞれの切込み７６、７８が起立板６０に嵌り込むために、側壁７２、７３が屈曲部を通過できない。図１５は基板６２と箱体７０とを組立てた状態の係合部を起立板の裏面側から見た部分図で、湾曲して屈曲部を通過後、切込み７９を有する側壁７２の下端部が復元して起立板６０に係合している状態を示している。
【００５０】
同時に箱体７０の底壁７４は、その舌片７９を起立板の長孔６５に挿入して係合する。そして、箱体７０は、全体としても弾性的に折線を介して復元する方向に変位するので、起立板６０に強固に係合固定されるのである。
【図面の簡単な説明】
【００５１】
【図１】この発明の一実施例の縦断側面図
【図２】同実施例の正面図
【図３】同実施例の基板の斜視図
【図４】同じく基板の展開図
【図５】同実施例の箱体の斜視図
【図６】同じく箱体の展開図
【図７】同実施例の組立時の箱体の状態を示す概略説明正面図
【図８】この発明の第２の実施例を示す縦断側面図
【図９】同実施例の正面図
【図１０】同実施例の基板の斜視図
【図１１】同実施例の箱体の斜視図
【図１２】参考例の基板の斜視図
【図１３】同じく箱体の展開図
【図１４】同じく箱体の組立図
【図１５】同じく起立板の裏面側から見た基板と箱体との組立状態の部分図
【符号の説明】
【００５２】
１…基板、２…起立板、３…支持板、４…嵌合開口、２０、４０・・・開放箱体、２１、４１…対向壁面、２２、２３、４２、４３…側壁、２４、４４…底壁、９、１０、２５、２６、２７、２８、４５、４６、４７、４８、５０、５１・・・切込み
【図１】
2006255274.tif 000003
【図２】
2006255274.tif 000004
【図３】
2006255274.tif 000005
【図４】
2006255274.tif 000006
【図５】
2006255274.tif 000007
【図６】
2006255274.tif 000008
【図７】
2006255274.tif 000009
【図８】
2006255274.tif 000010
【図９】
2006255274.tif 000011
【図１０】
2006255274.tif 000012
【図１１】
2006255274.tif 000013
【図１２】
2006255274.tif 000014
【図１３】
2006255274.tif 000015
【図１４】
2006255274.tif 000016
【図１５】
2006255274.tif 000017